(57)【要約】【課題】送信又は受信した原稿データをメモリに蓄積すると共に、メモリの空き領域が不足した場合に原稿データの一部を削除する通信装置において、メモリの空き容量の確保と原稿データの最低限の保持を両立して行うことができる通信装置を提供すること。【解決手段】本発明の通信装置１は、送信又は受信した原稿データを画像メモリ６に蓄積する通信装置において、原稿データの通信日時と蓄積枚数を格納する通信管理テーブル１５と、判断手段が画像メモリ６の残量が所定値以下であると判断した場合に、画像メモリ６に蓄積された原稿データの中から通信日時と蓄積枚数に基づいて複数ページからなる最古の原稿データを検出する検出手段と、検出した原稿データの２ページ以降のデータを画像メモリ６から削除する削除処理を行う削除手段と、削除処理を行った原稿データの蓄積枚数を更新する更新手段と、を備える。【選択図】      図１
2005217706.tif 000002
【特許請求の範囲】
【請求項１】
送信又は受信した原稿データをメモリに蓄積する通信装置において、前記原稿データの通信日時と蓄積枚数を格納する格納手段と、前記メモリが使用される際に、該メモリの残量が所定値以下であるか否かを判断する判断手段と、該判断手段が前記メモリの残量が所定値以下であると判断した場合に、前記通信日時と前記蓄積枚数に基づいて前記メモリに蓄積された原稿データの中から複数ページからなる最古の原稿データを検出する検出手段と、該検出手段が検出した原稿データの２ページ以降のデータを前記メモリから削除する削除処理を行う削除手段と、該削除手段が削除処理を行った原稿データの蓄積枚数を更新する更新手段と、を備えることを特徴とする通信装置。
【請求項２】
送受信原稿データ、送信原稿データ、及び受信原稿データのいずれかを削除処理の対象として指定する削除処理設定情報の入力を受付ける入力受付手段と、該入力受付手段が受付けた削除処理設定情報を記憶する記憶手段と、を備え、
前記検出手段は、前記判断手段が前記メモリの残量が所定値以下であると判断した場合に、前記記憶手段に記憶されている削除処理設定情報並びに前記通信日時及び前記蓄積枚数に基づいて、複数ページからなる最古の送受信原稿データ、送信原稿データ、又は受信原稿データを検出することを特徴とする請求項１記載の通信装置。
【発明の詳細な説明】
【技術分野】
【０００１】
本発明は、通信装置に関し、詳しくは送信又は受信した原稿のデータ（以下「原稿データ」という。）をメモリに蓄積する通信装置に関するものである。
【背景技術】
【０００２】
ファクシミリ通信機能やインターネットファクシミリ通信機能を備える通信装置において、送信又は受信した原稿データを通信完了後に削除することなくメモリに蓄積することにより、ユーザは所望の通信記録に対応する原稿データの画像を通信装置が備える表示手段に表示させるなどして、原稿の内容を容易に確認することができる。
【０００３】
しかし、通信装置が原稿データを蓄積可能なメモリの容量は限られているため、日々蓄積される全ての原稿データを蓄積することはできず、またメモリ使用量が増大してメモリの空き領域が不足した場合には、最新の原稿データを蓄積できなくなるという問題が生じる。かかる事情を考慮して原稿データを蓄積する装置として、特許文献１に開示されている通信装置がある。この通信装置では、メモリ使用量の総和がメモリ使用量限界値を越えているか否かをチェックし、越えていると判断した場合に、メモリの中で最も古い原稿データの画像を印字出力した後に、その原稿データを削除してメモリに空き領域を確保する。これにより、メモリに必要な空き領域を確保すると共に原稿データの内容が失われてしまうのを防止することができる。
【特許文献１】特開２００１−８００７号公報
【発明の開示】
【発明が解決しようとする課題】
【０００４】
しかしながら、上記のように最も古い原稿データの画像を印字出力してその原稿データをメモリから完全に削除した場合、ユーザは後に原稿の内容を確認するために原稿データの画像が印字された記録紙を管理するという面倒な作業を行わなければならない。このように、メモリに必要な空き領域を確保するために一部の原稿データを完全に削除するとユーザがその原稿の内容を容易に確認することができなくなるという問題があった。
【０００５】
本発明は、かかる課題に鑑みてなされたものであり、送信又は受信した原稿データをメモリに蓄積すると共に、メモリの空き領域が不足した場合に一部の原稿データを削除する通信装置において、メモリの空き領域の確保と原稿データの最低限の保持を両立して行うことができる通信装置を提供することを目的とする。
【課題を解決するための手段】
【０００６】
上記目的を達成するために、請求項１記載の通信装置は、送信又は受信した原稿データをメモリに蓄積する通信装置において、前記原稿データの通信日時と蓄積枚数を格納する格納手段と、前記メモリが使用される際に、該メモリの残量が所定値以下であるか否かを判断する判断手段と、該判断手段が前記メモリの残量が所定値以下であると判断した場合に、前記通信日時と前記蓄積枚数に基づいて前記メモリに蓄積された原稿データの中から複数ページからなる最古の原稿データを検出する検出手段と、該検出手段が検出した原稿データの２ページ以降のデータを前記メモリから削除する削除処理を行う削除手段と、該削除手段が削除処理を行った原稿データの蓄積枚数を更新する更新手段と、を備えることを特徴としている。
【０００７】
請求項２記載の通信装置は、請求項１に記載の通信装置において、送受信原稿データ、送信原稿データ、及び受信原稿データのいずれかを削除処理の対象として指定する削除処理設定情報の入力を受付ける入力受付手段と、該入力受付手段が受付けた削除処理設定情報を記憶する記憶手段と、を備え、前記検出手段は、前記判断手段が前記メモリの残量が所定値以下であると判断した場合に、前記記憶手段に記憶されている削除処理設定情報並びに前記通信日時及び前記蓄積枚数に基づいて、複数ページからなる最古の送受信原稿データ、送信原稿データ、又は受信原稿データを検出することを特徴としている。
【発明の効果】
【０００８】
請求項１に記載の通信装置によれば、メモリの残量が所定値以下となって原稿データを削除する場合に、複数ページからなる最古の原稿データの２ページ以降のデータを削除してメモリの空き領域を確保する処理が行われる。したがって、メモリを使用するために必要なメモリの空き領域の確保と、ユーザが原稿の内容を確認するために最低限必要な原稿データ、すなわち原稿の先頭ページのデータの保持を効率よく両立して行うことができる。
【０００９】
請求項２に記載の通信装置によれば、ユーザが予め設定した削除処理設定情報に基づいて、送受信原稿データ、送信原稿データ、又は受信原稿データのいずれかについて削除処理を行うので、ユーザの意図する削除処理を行うことができる。
【発明を実施するための最良の形態】
【００１０】
以下、本発明の実施の形態に係る通信装置について、図面に基づき説明する。この通信装置１は、図１に示すように制御部（ＭＰＵ：Microprocessing Unit）２、ＲＯＭ（Read Only Memory）３、原稿読取部４、コーデック（ＣＯＤＥＣ：Coder and Decoder）５、画像メモリ６、ＲＡＭ（Random Access Memory）７、操作部８、表示部９、記録部１０、通信部１１、及びＬＡＮ Ｉ／Ｆ（Local Area Network Interface）１２を備えたものであって、各部２乃至１２は、バス１３によって通信可能に接続されている。
【００１１】
制御部２は、ＲＯＭ３に格納されている制御プログラムに従ってこの通信装置１を構成する各部を制御する。ＲＯＭ３は、制御部２によって通信装置１の各部が制御されるための制御プログラムを格納している。原稿読取部４は、原稿の画像を読取って原稿データを出力するものであり、図示しないがＣＣＤ（Charge Coupled Device）等のイメージセンサや光源等の光学系、フラットベッドスキャナ（ＦＢＳ：Flat Bed Scanner）や原稿自動供給装置（ＡＤＦ：Automatic Document Feeder）等の原稿供給機構等を有して構成されている。
【００１２】
コーデック５は、ファクシミリ送受信やインターネットファクシミリ送受信のために原稿データの符号化及び復号を行うものである。すなわち、原稿読取部４で読取られた原稿データをＪＰＥＧ（Joint Photographic Experts Group）、ＭＨ（Modified Huffman）、ＭＲ（Modified Read）、ＭＭＲ（Modified Modified Read）、ＪＢＩＧ（Joint Bi-level Image Group）方式等により符号化し、受信した画像データを復号する。また、コンピュータで一般的に使用される画像フォーマットであるＴＩＦＦ（Tagged Image File Format）形式やＰＤＦ（Portable Document Format）形式にも対応して画データを符号化、復号する。画像メモリ（メモリ）６は、原稿読取部４で読取られた原稿データ、コーデック５において符号化された原稿データの他、送信又は受信した原稿データを蓄積する。制御部２は、この画像メモリ６が使用される際に、該画像メモリ６の残量（空き領域）が所定値以下であるか否かを判断する判断手段として機能する。
【００１３】
ＲＡＭ７は、制御部２の主メモリ、ワークエリア等として機能し、予めファクシミリ番号やメールアドレス等の情報が登録された短縮ダイヤル、ワンタッチダイヤルなどの各種設定情報を記憶している。また、ＲＡＭ７は、操作部８が入力を受付けた削除処理設定情報（以下、「削除処理設定」ともいう。）１４を記憶する記憶手段として機能する。制御部２は、画像メモリ６の空き領域が所定値以下であると判断した場合に、後述する通信管理テーブル１５の通信日時と蓄積枚数に基づいて複数ページからなる最古の原稿データを検出する。そして、制御部２は、検出した原稿データの２ページ以降のデータを画像メモリ６から削除する削除処理を行う削除手段として機能する。この削除処理は、ＲＡＭ７の削除処理設定情報１４に基づいて行われる。ここで、削除処理設定情報１４は、「送受信原稿」、「送信原稿」、又は「受信原稿」のいずれかに対応する設定情報である。「送受信原稿」に対応する削除処理設定情報１４は、送信又は受信に関わらず、複数ページからなる最古の原稿データに対して削除処理を行うことを示す情報である。「送信原稿」に対応する削除処理設定情報１４は、複数ページからなる最古の送信原稿データに対して削除処理を行うことを示す情報である。「受信原稿」に対応する削除処理設定情報１４は、複数ページからなる最古の受信原稿データに対して削除処理を行うことを示す情報である。したがって、制御部２は、画像メモリ６に蓄積された原稿データのうち、複数ページからなる最古の送信原稿データ又は複数ページからなる最古の受信原稿データに対して２ページ以降のデータを削除することができる。なお、削除処理設定情報１４は、操作部８からの所定操作によりユーザが設定変更することができる。また、制御部２は、画像メモリ６の空き領域が所定値以下であると判断した際に、複数ページからなる原稿データが画像メモリ６に蓄積されていない場合、すなわち、画像メモリ６の空き領域が所定値以下であると判断した際に蓄積されている原稿データが全て１ページの原稿データである場合には、画像メモリ６において最も通信日時の古い原稿データを削除する。
【００１４】
また、ＲＡＭ７には、送信又は受信した原稿データの通信記録と蓄積枚数を格納するための通信管理テーブル１５が設けられている。図２は、ファクシミリ通信にて原稿データを送信した際にその原稿データの通信記録と蓄積枚数が格納される通信管理テーブル１５ａ（１５）と、インターネットファクシミリ通信にて原稿データを電子メールに添付して送信した際にその原稿データの通信記録と蓄積枚数が格納される通信管理テーブル１５ｂ（１５）の一例を示したものである。通信管理テーブル１５ａは、便宜的に「番号」、「相手先名」、「モード」、「開始日時」、「時間」、「枚数」、「蓄積枚数」、「結果」、及び「備考」と命名した９個のフィールドを持つ多数のレコードで構成されている。各フィールドに格納される情報は、以下の通りである。「番号」フィールドには、通信を行った時間順に付けられる番号が格納される。「相手先名」フィールドには、通信を行った相手先の名称や相手先装置のファクシミリ番号が格納される。「モード」フィールドには、送信した原稿データの画質に関する情報が格納される。「開始日時」フィールドには、原稿データの送信を開始した日時（通信日時）が格納される。「時間」フィールドには、相手先装置への原稿データの送信を開始してから終了するまでの所要時間が格納される。「枚数」フィールドには、送信した原稿データのページ数（送信枚数）が格納される。「結果」フィールドには、通信エラーの発生の有無等を示す通信結果が格納される。「備考」フィールドには、その他の情報が格納される。
【００１５】
「蓄積枚数」フィールドには、他のフィールドに通信記録が格納された原稿データの蓄積枚数が格納される。ここで、蓄積枚数は、送信後又は受信後に画像メモリ６に蓄積された原稿データのページ数を示す情報である。原稿データが削除されずに全ページ蓄積されている場合には、「蓄積枚数」欄には同一レコードの「枚数」欄のページ数と同じ数が格納されている。画像メモリ６に１ページの原稿データが蓄積されている場合、及び複数ページからなる原稿データの２ページ以降のデータが削除されて先頭ページのデータのみが保持されている場合には、「蓄積枚数」欄には「１」が格納されている。したがって、制御部２は、「枚数」フィールドのページ数と「蓄積枚数」フィールドの蓄積枚数とから、画像メモリ６における原稿データの蓄積状況を判断することができる。また、制御部２は、削除処理を行った原稿データの蓄積枚数を更新する更新手段として機能する。例えば、７ページの原稿データを送信後に画像メモリ６に蓄積して「枚数」欄及び「蓄積枚数」欄に「７」のページ数が格納されている状態で、その原稿データの２ページ目以降のデータを削除する削除処理を行った場合、「蓄積枚数」欄のページ数を「７」から「１」に更新する。
【００１６】
通信管理テーブル１５ｂは、便宜的に「番号」、「宛先」、「日付」、「件名」、「枚数」、「蓄積枚数」、及び「備考」と命名した７個のフィールドを持つ多数のレコードで構成されている。各フィールドに格納される情報は、以下の通りである。「番号」フィールドには、通信を行った時間順に付けられる番号が格納される。「宛先」フィールドには、原稿データを電子メールに添付して送信した相手先の名称や相手先装置のメールアドレス（宛先）が格納される。「日付」フィールドには、原稿データを添付した電子メールを送信した日時（通信日時）が格納される。「件名」フィールドには、送信した電子メールの件名が格納される。「枚数」フィールドには、送信した電子メールに添付されていた原稿データのページ数が格納される。「蓄積枚数」フィールドには、上記の通信管理テーブル１５ａの「蓄積枚数」フィールドと同様に、他のフィールドに通信記録が格納された原稿データの蓄積枚数が格納される。「備考」フィールドには、その他の情報が格納される。
【００１７】
また、図３に例示すように、ファクシミリ通信にて原稿データを受信した際にその原稿データの通信記録と蓄積枚数が格納される通信管理テーブル１５ｃ（１５）と、インターネットファクシミリ通信にて原稿データが添付された電子メールを受信した際にその原稿データの通信記録と蓄積枚数が格納される通信管理テーブル１５ｄ（１５）がＲＡＭ７に設けられており、それぞれ上記の通信管理テーブル１５ａ、１５ｂと同様の情報が格納されている。したがって、通信管理テーブル１５は、原稿データの通信日時と蓄積枚数を格納する格納手段として機能する。制御部２は、画像メモリ６の残量が所定値以下であると判断した場合に、上記の通り送信又は受信した原稿データの通信記録が格納されている通信管理テーブル１５の通信日時と蓄積枚数に基づいて、画像メモリ６に蓄積された原稿データの中から複数ページからなる最古の原稿データを検出する検出手段として機能する。すなわち、制御部２は、「蓄積枚数」フィールドの蓄積枚数が「２」以上で、且つ「開始日時」フィールド及び「日付」フィールドの通信日時の最も古い通信記録を通信管理テーブル１５から検索することにより、複数ページからなる最古の原稿データを検出することができる。また、制御部２は、画像メモリ６の残量が所定値以下であると判断した場合に、ＲＡＭ７に記憶されている削除処理設定情報１４並びに通信日時及び蓄積枚数に基づいて、複数ページからなる最古の送信原稿データ、送信原稿データ、又は受信原稿データを検出する。
【００１８】
操作部８は、図示しないが原稿読取部４に原稿の読取開始を指示するためのスタートキー、ファクシミリ番号やコピー部数等を入力するためのテンキー、ワンタッチダイヤルに予め登録された宛先（ファクシミリ番号又はメールアドレス）を指定するためのワンタッチキー、各種設定を行うためのカーソルキーなど、表示部９と連動した各種操作キーを備えている。また、操作部８は、送受信原稿データ、送信原稿データ、及び受信原稿データのいずれかを削除処理の対象として指定する前記削除処理設定情報１４の入力を受付ける入力受付手段として機能する。表示部９は、各種の設定状態や通信装置１の動作状態などを文字や図形などで表示する液晶表示装置（ＬＣＤ：Liquid Crystal Display）１６や、点灯又は消灯で表示するＬＥＤランプ１７などを備えている。液晶表示装置１６は、図示しないが通信管理テーブル１５に格納された原稿データの通信記録や、その通信記録に対応づけて画像メモリ６に蓄積されている原稿データの画像の一部又は縮小画像を表示することができる。
【００１９】
記録部１０は、原稿読取部４において読取られた原稿データ、ファクシミリ通信又はインターネットファクシミリ通信により送受信した原稿データ等の画像を用紙に記録するものである。この記録部１０における記録方式としては、例えば、電子写真方式を用いることができる。
【００２０】
通信部１１は、モデム１８及びＮＣＵ（Network Control Unit）１９を備えている。モデム１８は、例えばＩＴＵ−Ｔ（国際電気通信連合電気通信標準化部門）の勧告Ｖ．３４規格又はこれと同様のものに従った送受信データの変調及び復調を行うものである。ＮＣＵ１９は、電話回線を制御して電話をかけたり、切ったりする回線網制御装置であり、ＰＳＴＮ（Public Switched Telephone Network）２０に接続されている。
【００２１】
ＬＡＮ Ｉ／Ｆ１２は、ＬＡＮ（Local Area Network）２１と通信装置１とを通信可能に接続するインターフェースである。ＬＡＮ２１には、クライアントＰＣ２２が設置されており、クライアントＰＣ２２から通信装置１が有する各種機能を利用することができるようになっている。例えば、クライアントＰＣ２２において作成した文書等の画像データをクライアントＰＣ２２から宛先を指定して通信装置１に送信させたり、前記画像データの画像を通信装置１の記録部１０において用紙に記録することができる。また、ＬＡＮ２１には、メールサーバ２３、ルータ２４等も設置されており、通信装置１は、メールサーバ２３、ルータ２４、インターネット等を通じて他のインターネットファクシミリ装置（不図示）と原稿データが添付された電子メールを送信又は受信するインターネットファクシミリ通信を行うことができる。
【００２２】
以上説明した構成からなる通信装置１は、原稿読取部４で読取られた原稿データの画像を記録部１０において用紙に記録するコピー機能、ＰＳＴＮ２０を介して外部の装置（不図示）と原稿データを送受信するファクシミリ通信機能、及びインターネットを介して外部の装置と原稿データが添付された電子メールを送受信するインターネットファクシミリ通信機能を備えている。また、通信装置１は上記のファクシミリ通信機能又はインターネットファクシミリ通信機能により、送信又は受信した原稿データを画像メモリ６に蓄積する通信装置である。これにより、ユーザは所望の送受信原稿データの画像の一部又は縮小画像を液晶表示装置１６に表示させたり、記録部１０から印字出力させることにより、送信又は受信した原稿の内容を容易に確認することができる。
【００２３】
以下、ファクシミリ通信機能又はインターネットファクシミリ通信機能により原稿データを送信又は受信した場合に、通信装置１において行われる処理動作について、図４及び図５に示すフローチャートに基づいて説明する。なお、以下のフローチャートに基づいて説明する通信装置１の処理動作は、ＲＯＭ３に格納されている制御プログラムに基づいて制御部２が発行する命令に従って行われる。
【００２４】
制御部２は、ファクシミリ通信、又はインターネットファクシミリ通信による原稿データの送信処理又は受信処理が完了したと判断すると（Ｓ１：ＹＥＳ）、送信処理又は受信処理が完了したと判断した原稿データの通信記録をＲＡＭ７の通信管理テーブル１５に格納する（Ｓ２）。続いて、画像メモリ６の残量が所定値以下であるか否かを判断する（Ｓ３）。ここで、画像メモリ６の残量が所定値以下ではないと判断した場合（Ｓ３：ＮＯ）、原稿データをその通信記録に対応づけて画像メモリ６の所定領域に格納する（Ｓ４）。またその際、Ｓ２において通信記録を格納した通信管理テーブル１５のレコードの「蓄積枚数」欄に画像メモリ６に蓄積した原稿データの蓄積枚数を格納する。なお、画像メモリ６には原稿データが全ページ蓄積されるため、ここでは「蓄積枚数」欄には前記レコードの「枚数」欄のページ数と同じページ数が格納される。
【００２５】
一方、制御部２は、画像メモリ６の残量が所定値以下であると判断した場合（Ｓ３：ＹＥＳ）、ＲＡＭ７の削除処理設定情報１４に基づいて削除処理設定が送受信原稿に設定されているか否かを判断する（Ｓ５）。ここで、削除処理設定が送受信原稿に設定されていると判断した場合（Ｓ５：ＹＥＳ）、通信管理テーブル１５ａ乃至１５ｄの「開始日時」フィールド及び「日付」フィールドの通信日時と、「蓄積枚数」フィールドの蓄積枚数に基づいて、画像メモリ６に蓄積されている全ての原稿データの中から、複数ページからなる最古の原稿データを検出し（Ｓ６）、検出した原稿データの２ページ以降のデータを画像メモリ６から削除する（Ｓ７）。例えば、図２及び図３に示すように通信管理テーブル１５に通信日時と蓄積枚数が格納されている場合には、相手先「Ａ」に対してファクシミリ送信した２ページの原稿データに対して削除処理を行う。
【００２６】
そして、制御部２はこの削除処理を行った原稿データの蓄積枚数を更新する（Ｓ８）。具体的には、通信管理テーブル１５において、削除処理を行った原稿データの通信記録が格納されているレコードの「蓄積枚数」欄の蓄積枚数を「１」に更新する。このようにして、画像メモリ６における原稿データに対し削除処理を行った後、画像メモリ６に必要な空き領域が確保されたか否か、すなわち、画像メモリ６の空き領域が所定値よりも多くなったか否かを判断する（Ｓ９）。ここで、画像メモリ６に必要な空き領域が確保されていないと判断した場合（Ｓ９：ＮＯ）、Ｓ５乃至Ｓ８の処理を再度行って画像メモリ６に空き領域を確保する。制御部２は、画像メモリ６に必要な空き領域が確保されたと判断した場合（Ｓ９：ＹＥＳ）、Ｓ２において通信管理テーブル１５に通信記録を格納した原稿データをその通信記録に対応づけて画像メモリ６に蓄積する（Ｓ４）。またその際、「蓄積枚数」欄に「枚数」欄のページ数と同じページ数を格納する。
【００２７】
一方、制御部２は、削除処理設定が送受信原稿ではないと判断した場合（Ｓ５：ＮＯ）、削除処理設定が送信原稿又は受信原稿のどちらであるかをＲＡＭ７の削除処理設定情報１４に基づいて判断する（Ｓ１０）。ここで、削除処理設定は送信原稿であると判断した場合（Ｓ１０：送信原稿）、複数ページからなる送信原稿データがあるか否かを判断する（Ｓ１１）。具体的には、送信した原稿データの通信記録が格納されている通信管理テーブル１５ａ及び１５ｂの「蓄積枚数」フィールドの蓄積枚数に基づいて、蓄積枚数が「２」以上の送信原稿データが画像メモリ６に蓄積されているか否かを判断する。そして、複数ページからなる送信原稿データがあると判断した場合には（Ｓ１１：ＹＥＳ）、上記蓄積枚数と、「開始日時」フィールド及び「日付」フィールドの通信日時に基づいて、複数ページからなる最古の送信原稿データを検出し（Ｓ１２）、検出した送信原稿データの２ページ以降のデータを画像メモリ６から削除する（Ｓ１３）。例えば、図２に示すように通信管理テーブル１５ａ及び１５ｂに通信日時と蓄積枚数が格納されている場合には、相手先「Ａ」に対してファクシミリ送信された２ページの原稿データに対して削除処理を行う。
【００２８】
また、制御部２は、削除処理設定は受信原稿であると判断した場合（Ｓ１０：受信原稿）、複数ページからなる受信原稿データがあるか否かを判断する（Ｓ１４）。具体的には、受信した原稿データの通信記録が格納されている通信管理テーブル１５ｃ及び１５ｄの「蓄積枚数」フィールドの蓄積枚数に基づいて、蓄積枚数が「２」以上の受信原稿データが画像メモリ６に蓄積されているか否かを判断する。そして、複数ページからなる受信原稿データがあると判断した場合には（Ｓ１４：ＹＥＳ）、上記蓄積枚数と、「開始日時」フィールド及び「日付」フィールドの通信日時に基づいて、複数ページからなる最古の受信原稿データを検出し（Ｓ１５）、検出した受信原稿データの２ページ以降のデータを画像メモリ６から削除する（Ｓ１６）。例えば、図３に示すように通信管理テーブル１５ｃ及び１５ｄに通信日時と蓄積枚数が格納されている場合には、相手先「Ｇ」からインターネットファクシミリ受信した４ページの原稿データに対して削除処理を行う。
【００２９】
なお、制御部２は複数ページからなる送信原稿データがないと判断した場合には（Ｓ１１：ＮＯ）、Ｓ１５及びＳ１６の処理を行って複数ページからなる最古の受信原稿データの２ページ以降のデータを削除する。また、逆に複数ページからなる受信原稿データがないと判断した場合には（Ｓ１４：ＮＯ）、Ｓ１２及びＳ１３の処理を行って複数ページからなる最古の送信原稿データの２ページ以降のデータを削除する。このようにして、Ｓ１３又はＳ１６の削除処理を行った後、制御部２は前記Ｓ８以降の処理を行う。
【００３０】
以上説明したように、この通信装置１では、画像メモリ６の空き領域が所定値以下となった場合に、画像メモリ６に蓄積された原稿データうち、複数ページからなる最古の原稿データに対して２ページ以降のデータを削除する削除処理を行うことにより、画像メモリ６に必要な空き領域の確保と原稿データの最低限の保持を両立して行うことができる。したがって、たとえ原稿データに対して削除処理が行われたとしても、ユーザは液晶表示装置１６に削除処理が行われた原稿データの先頭ページの画像を表示させたり、記録部１０から印字出力することができ、ユーザは通信記録とこの先頭ページの画像から原稿の内容を確認することができる。よって、画像メモリ６の空き領域が所定値以下となった場合に、通信日時の最も古い原稿データを印字出力た後に削除する従来の通信装置のように、原稿データの画像が印字出力された記録紙を管理するという面倒な作業をユーザが行わなくてもよい。また、ユーザは予め送受信原稿データ、送信原稿データ、及び受信原稿データのいずれかを削除処理の対象として削除処理設定を行うことができるので、例えば、送信原稿データにのみ削除処理を行うなど、ユーザの意図する削除処理を行うことが可能である。
【産業上の利用可能性】
【００３１】
本発明は、例えばファクシミリ通信又はインターネットファクシミリ通信により送信又は受信した原稿データをメモリに蓄積する通信装置に適用可能である。
【図面の簡単な説明】
【００３２】
【図１】本発明の実施の形態に係る通信装置の構成例を示したブロック図である。
【図２】送信した原稿データの通信記録と蓄積枚数が格納された通信管理テーブルの一例を示した図である。
【図３】受信した原稿データの通信記録と蓄積枚数が格納された通信管理テーブルの一例を示した図である。
【図４】ファクシミリ通信又はインターネットファクシミリ通信により原稿データを送受信した際に、通信装置において行われる処理動作を示したフローチャートである。
【図５】ファクシミリ通信又はインターネットファクシミリ通信により原稿データを送受信した際に、通信装置において行われる処理動作を示したフローチャートである。
【符号の説明】
【００３３】
１    通信装置
２    制御部（ＭＰＵ）
６    画像メモリ
７    ＲＡＭ
１４    削除処理設定情報
１５    通信管理テーブル
【図１】
2005217706.tif 000003
【図２】
2005217706.tif 000004
【図３】
2005217706.tif 000005
【図４】
2005217706.tif 000006
【図５】
2005217706.tif 000007